(57)【要約】【課題】  雨降りのとき、特に雨が強風にあおられ、風雨が電子機器ケースに向けて下から強い力で吹上げられるときでも、高い防水効果を発揮する電子機器ケース用防水キャップを提供しようとするものである。【解決手段】  防水キャップの上端部の外周には、放射方向に張り出す鍔片を備えさせ、上記鍔片の断面形状は、元部から外周方向に向けて先細状になるように、かつ、上辺が装着状態において上記外側筒の内周面と鍔片の先部との圧接部の上方に間隙が生じるように下り勾配になるように形成しており、しかも上記鍔片の張り出し寸法は、装着状態において、鍔片の先部が外側筒の内周面に対して圧接し、その反力によって上記開口部の内周面を上記内側筒の外周面方向へ加圧するようにした。【選択図】    図１
2006141152.tif 000002
【特許請求の範囲】
【請求項１】
電子回路を収納する空間を備えるケース本体１の周壁における下壁には、ケーブル挿入孔３を備えさせると共に、上記ケーブル挿入孔３の周囲には、内側筒５と外側筒６とを二重筒状に備えさせた電子機器ケースＡに対して、
中空筒状に形成され、下方には、ケーブル９を挿通させる為の透孔15を備えさせ、上方には上記内側筒５の外周面５ａに対して弾力的な嵌着を可能にする内径寸法の開口部14を備える中空筒状の電子機器ケース用防水キャップ１０を、開口部14を上記内側筒５の外周面５ａに対して弾力的に嵌着させている電子機器ケース用防水キャップ１０において、
上記防水キャップ10の上端部の外周には、放射方向に張り出す鍔片16を備えさせ、上記鍔片16の断面形状は、元部17から外周方向に向けて先細状になるように、かつ、上辺が、装着状態において上記外側筒６の内周面6ａと鍔片16の先部18との圧接部の上方に間隙20が生じるように下り勾配になるように形成しており、しかも、上記鍔片16の張り出し寸法は、装着状態において、鍔片16の先部18が、外側筒６の内周面6aに対して圧接し、その反力によって上記開口部14の内周面14ａを上記内側筒５の外周面５ａ方向へ加圧するようにしたことを特徴とする電子機器ケース用防水キャップ。
【発明の詳細な説明】
【技術分野】
【０００１】
本発明は、電子機器ケース用防水キャップに関し、詳しくは、屋外にて用いられるアンテナ給電部やブースタ等の電子機器に対してケーブルを接続する場所に用いられる電子機器ケース用防水キャップに関する。
【背景技術】
【０００２】
従来の電子機器ケース用防水キャップ、例えば特許文献１の図５に示される防水キャップ10gは、防水キャップの筒体における上部15gの開口部を電子機器における接栓が備えられた接栓座2gの外周面に対して被せ付けていた。さらに、被せ付けだけでは雨水が上記防水キャップの上部15gから上記防水キャップ内に滲み込むおそれがあるので、接栓座2g側から上記防水キャップの筒体の外周に向けて二重筒状に雨除環体25を張出させて、雨水が防水キャップ内へ浸入するのを防止していた。
しかし、風雨が電子機器に向けて吹付けられ、特に、雨除環体25の内面と防水キャップの上部15gとの間に風雨が強い力で吹上げられると、防水キャップの上部15gから防水キャップ内に水が浸入してしまう問題点があった。
そこで、例えば特許文献１の図１，２に示されるように、防水キャップの筒体11（第１筒体という）の外周に第２筒体16を二重筒状に設けて一体的に形成し、第１筒体11の上部の開口部14を、接栓座５の外周面に対して被せ付けて密着させ、第２筒体16の上部18は接栓座４に当接するようにした。
すると、強い風雨があるときでも、第２筒体16により雨水が第１筒体11に向うのが防止され、さらに、第１筒体でも雨水が防水キャップ内に浸入するのが阻止され、接栓は勿論、機器ケース内の電子回路も雨水から守られる。
【０００３】
【特許文献１】特許第３０９９１００号公報（図５、図１、図２）
【発明の開示】
【発明が解決しようとする課題】
【０００４】
しかし、この従来の防水キャップ10では、接栓座への取付は、第１筒体11の上部の開口部14を、接栓座５の外周面に対して被せ付けて嵌着させているに止まるので、嵌着させている部分が雨水により濡れたり、気温の変化等によって接栓座と防水キャップの夫々の膨張収縮係数の相違によって、相互の嵌着に緩みが生じ、防水キャップが接栓座からスポンと抜けて落ちるような不測の事態が生じる虞があった。このような不測の事態を防止する為、防水キャップの下部12と防水キャップに挿通させているケーブル７とをテープでもって止着する手段を余分に施さねばならぬ手間を要する問題点があった。
【０００５】
本件出願の目的は、雨降りのとき、特に雨が強風にあおられ、風雨が電子機器ケースに向けて下から強い力で吹上げられるときでも、高い防水効果を発揮する電子機器ケース用防水キャップを提供しようとするものである。
他の目的は、防水キャップを電子機器ケースに装着する場合、その装着は容易で、かつ抜けにくい電子機器ケース用防水キャップを提供しようとするものである。
他の目的及び利点は図面及びそれに関連した以下の説明により容易に明らかになるであろう。
【課題を解決するための手段】
【０００６】
本願発明における電子機器ケース用防水キャップは、電子回路を収納する空間を備えるケース本体１の周壁における下壁1ｃには、ケーブル挿入孔３を備えさせると共に、上記ケーブル挿入孔３の周囲には、内側筒５と外側筒６とを二重筒状に備えさせた電子機器ケースＡに対して、中空筒状に形成され、下方には、ケーブル９を挿通させる為の透孔15を備えさせ、上方には上記内側筒５の外周面５ａに対して弾力的な嵌着を可能にする内径寸法の開口部14を備える中空筒状の電子機器ケース用防水キャップ１０を、開口部14を上記内側筒５の外周面５ａに対して弾力的に嵌着させている電子機器ケース用防水キャップ１０において、上記防水キャップ10の上端部の外周には、放射方向に張り出す鍔片16を備えさせ、上記鍔片16の断面形状は、元部17から外周方向に向けて先細状になるように、かつ、上辺が、装着状態において上記外側筒６の内周面6aと鍔片16の先部18との圧接部の上方に間隙20が生じるように下り勾配になるように形成しており、しかも、上記鍔片16の張り出し寸法は、装着状態において、鍔片16の先部18が、外側筒６の内周面6aに対して圧接し、その反力によって上記開口部14の内周面14ａを上記内側筒５の外周面５ａ方向へ加圧するようにしたものである。
【発明の効果】
【０００７】
以上のように本願発明は、雨降りの場合でも、電子機器ケース用防水キャップ10を電子機器ケースＡに装着した状態で、防水キャップ10の上部の開口部14を、電子機器ケース側の内側筒５の外周面５ａに対して密着させ、その外周側には外側筒６を備えさせてあるから、雨水が、防水キャップ内に浸入するのが阻止される特長がある。
従って、十分な防水効果が発揮され、接栓は勿論、機器ケース内の電子回路も雨水から守られ、雨水で濡れることによる故障を防止する安全上の効果がある。
【０００８】
さらに本願発明は、雨が強風にあおられ、風雨が電子機器ケースに向けて下から強い力で吹上げられる場合でも、防水キャップ10を装着した状態では、防水キャップ10の鍔片16の先部18を、外側筒６の内周面6aに対して圧接させたものなので、外側筒６の内周面6aと鍔片16の先部18との圧接により、雨水が内側筒５方向に向うのが防止される。
従って、より高い防水効果が発揮される効果がある。
【０００９】
さらに本願発明は、仮に、雨水が外側筒６の内周面6aと鍔片16の先部18との圧接部から毛細管現象効果も手伝って僅かに通過することがあっても、今度は、外側筒６の内周面6aと鍔片16の先部18との圧接部の上方に間隙20を形成させてあるので、僅かに通過した雨水は、間隙20から内側筒５方向に向うのが防止され、さらに高い防水効果が発揮される効果がある。
【００１０】
さらに本願発明は、防水キャップ10を装着した状態では、外側筒６の内周面6aに対して圧接させている防水キャップ10の鍔片16の先部18には、外周下向方向22に突っ張る力がかかっている。
従って、防水キャップ10の下方向への脱落を完全に防止することができる特長がある。このことは上記従来品のようにテープを巻くような余分な脱落防止の手段を講じることを省略する効果もある。
【００１１】
さらに本願発明は、下方向へ脱けにくくなっているものであっても、鍔片16の断面形状は、元部17から外周方向に向けて先細状になり、かつ、上辺が、下り勾配になるように形成してあるので、装着時には、鍔片16がガイド役となり、挿入が容易になる取付作業上の効果がある。
【発明を実施するための最良の形態】
【００１２】
以下本願発明の実施の形態を示す図面について説明する。図１乃至図５において、１は、電子回路（図示を省略）を収納する空間を備える周知の電子機器ケースのケース本体を示す。上記電子機器ケースとしては、例えば屋外で用いられるアンテナの給電部のケース、ブースターケース、テレビ共同受信機器のケース等がある。
上記ケース本体１は、蓋体１ａと基盤１ｂとで構成され、夫々合成樹脂材、金属材料等の任意の硬質材料で形成されており、任意の成形手段により別体に形成され、任意の手段で合体させている。
３は、電子機器ケースＡにおける周知のケーブル挿入孔を示し、ケース本体１における基盤１ｂの周壁の下壁１ｃに備えさせてある。なお、４は盲蓋を示す。
５は上記ケーブル挿入孔３の周囲に垂下状に備えさせた内側筒を示す。
６は上記内側筒５の外周側に所定の間隔をあけて二重筒状に形成させた外側筒を示す。
上記内側筒５と上記外側筒６とは、上記下壁１ｃに一体的に形成させてある。
９は上記ケース本体１内に収納された電子回路に対して接続される周知のケーブルで、例えば同軸ケーブルであり、周知の手段、例えば図１に示されるように接続される。
【００１３】
10は上記ケーブル挿入孔３を防水する為の電子機器ケース用防水キャップ、11は防水キャップ10における中空筒状に形成された筒体を示す。
上記筒体11における下方11ｂには、上記ケーブル９を挿通させる為の透孔15を有し、上方11ａには上記内側筒５の外周面５ａに対して弾力的な嵌着を可能にする内径寸法Ｗ１の開口部14を有する。
内径寸法Ｗ１としては、例えば上記内側筒５の外周面５ａの外径寸法Ｗ２（14mm）に対して内径寸法Ｗ１は、やや小さめ（13.5mm）としてもよい。
【００１４】
１６は、上記防水キャップ10の上端部の外周に放射方向に張り出し状に備えさせた鍔片を示す。
上記鍔片16の断面形状は、図２によく示されるように、元部17から外周方向（先部18方向）に向けて先細状になるように、かつ、上辺が、図３によく示される装着状態において、上記外側筒６の内周面6ａと鍔片16の先部18との圧接部の上方に間隙20が生じるように、下り勾配になるように形成させてある。
上記鍔片16の張り出し寸法は、図３によく示される装着状態において、鍔片16の先部18が、外側筒６の内周面6ａに対して圧接してその反力によって上記内側筒５の外周面５ａに密着している上記開口部14の内周面14ａを上記内側筒５の外周面５ａ方向へ加圧するような寸法に構成させてある。
張り出し寸法としては、例えば上記外側筒６の内周面６ａの内径寸法Ｗ４（19mm）に対して、鍔片16の先部18の外径寸法Ｗ３は、やや大きく（19.5mm）なるようにするとよい。
上記筒体11及び鍔片16は、弾力性を有する高分子材料例えば熱可塑性エラストマー等でもって、一体的に成形される。
【００１５】
上記構成の防水キャップ10の使用方法及び使用状態について説明する。
まず、ケーブル９を図２（Ａ）に示される矢印24方向から、防水キャップ10の透孔15に挿通し、筒体11を貫通させる。
次にケーブル９を電子機器ケース内の電子回路に接続する。
次に防水キャップ10をケーブル９に沿ってケース本体１側にずらし上げ、防水キャップ10における上端部11ａの開口部14を、電子機器ケース側の内側筒５の外周面５ａに対して被せ付け、さらに防水キャップ10を図３に示される位置まで挿入し、弾力的に嵌着させる。
このように防水キャップ10を装着した状態では、防水キャップ10における開口部14の内周面14ａが、内側筒５の外周面５ａに密着し、鍔片16における先部18が、外側筒６の内周面6aに対して圧接する。
なお、鍔片16は、先部18の上記内周面6aに対する圧接の反力によって、開口部14の内周面14ａを上記内側筒５の外周面５ａ方向へ加圧するので、防水キャップ10における開口部14の内周面14ａは、内側筒５の外周面５ａに対してより密着することになる。
さらに、図３（Ｂ）によく示されるように、外側筒６の内周面6aと鍔片16の先部18との圧接部の上方に浸水防止用の間隙20が形成される。
なお、内側筒５の外周面５ａと筒体11における開口部14の内周面14ａとの密着部上方にも浸水防止用の間隙21が形成される。
【００１６】
この装着状態においては、風雨が電子機器ケースに向けて下から強い力で吹上げても、防水キャップ10における鍔片16の先部18と、外側筒６の内周面6aとの圧接により、雨水が内側筒５方向に向うのが防止される。
仮に、雨水が外側筒６の内周面6aと鍔片16の先部18との圧接部から毛細管現象効果も手伝って僅かに通過することがあっても、僅かに通過した雨水は、間隙20から内側筒５方向に向うのが防止される。
【００１７】
上記構成の防水キャップ10につき、電子機器の保守点検や修理をするときに防水キャップ10を取外す場合について説明する。
まず、防水キャップ10を下方向に向けて強い力で引張りながら取外す。
このとき、防水キャップ10における鍔片16の先部18には、外周下向方向22に突っ張る力がかかっているので、抜けにくいが、所定の力を入れて引張ると、鍔片16の先部18は弾力を有するので図４に示されるような状態に変形し、さらに力を入れて引張り続けると防水キャップ10を取外し、再用することができる。
【図面の簡単な説明】
【００１８】
【図１】電子機器ケースにおけるケース本体と、ケーブル挿入孔と、内側筒と、外側筒と、防水キャップとの位置関係を説明する為の概略断面図。
【図２】（Ａ）は、電子機器ケースにおける内側筒及び外側筒と、防水キャップとの関係を説明する為の断面図。（Ｂ）は、（Ａ）における符号II部分の拡大図。
【図３】（Ａ）は、防水キャップ10を装着した状態を説明する為の部分断面図。（Ｂ）は、III部分の拡大図。
【図４】防水キャップ10を装着した状態を説明する為の部分断面図。
【図５】防水キャップ10を開口部側からみた図で、防水キャップ10を説明する為の図。
【符号の説明】
【００１９】
Ａ・・・電子機器ケース、１・・・ケース本体、１ａ・・・蓋体、１ｂ・・・基盤、１ｃ・・・下壁、３・・・ケーブル挿入孔、４・・・盲蓋、５・・・内側筒、５ａ・・・外周面、６・・・外側筒、６ａ・・・内周面、９・・・ケーブル、１０・・・防水キャップ、１１・・・筒体、11ａ・・・上端部、11ｂ・・・下方、１４・・・開口部、14ａ・・・内周面、１５・・・透孔、１６・・・鍔片、１７・・・元部、１８・・・先部、２０・・・間隙、２２、２４・・・矢印
【図１】
2006141152.tif 000003
【図２】
2006141152.tif 000004
【図３】
2006141152.tif 000005
【図４】
2006141152.tif 000006
【図５】
2006141152.tif 000007